(57)【要約】画面回転の前後で画面に表示されるコンテンツの連続性が維持される表示装置（１０１）であって、表示画面が、表示画面を含む面内で回転したことを回転情報として検出する回転検出部（２０２）と、ユーザーの操作により指定される表示画面上の位置である指定位置を検出する操作検出部（２０１）と、コンテンツ画像上の領域である表示領域に含まれる画像を表示画像として決定する表示画像決定部（２０４）と、表示画像決定部が決定した表示画像を、表示画面に表示させる表示制御部（２０５）とを備え、表示画像決定部（２０４）は、回転検出部（２０２）が回転情報を検出したときに、回転情報に基づいて、操作検出部（２０１）が検出した指定位置を回転中心として表示領域を回転させ、回転後の表示領域に含まれる画像を新たな表示画像として決定する。
2013124912.tif 000002
【特許請求の範囲】
【請求項１】
表示画面を有する表示装置であって、
前記表示画面が、前記表示画面を含む面内で回転したことを回転情報として検出する回転検出部と、
ユーザーの操作により指定される前記表示画面上の位置である指定位置を検出する操作検出部と、
コンテンツ画像上の領域である表示領域に含まれる画像を表示画像として決定する表示画像決定部と、
前記表示画像決定部が決定した前記表示画像を、前記表示画面に表示させる表示制御部とを備え、
前記表示画像決定部は、
前記回転検出部が前記回転情報を検出したときに、前記回転情報に基づいて、前記操作検出部が検出した前記指定位置を回転中心として前記表示領域を回転させ、回転後の前記表示領域に含まれる画像を新たな前記表示画像として決定する
表示装置。
【請求項２】
前記操作検出部は、
前記表示画面上に物体を接触させることでユーザーにより指定される前記指定位置を検出する
請求項１に記載の表示装置。
【請求項３】
前記表示画像決定部は、
前記指定位置が検出されない場合に、前記表示画面上の所定位置を回転中心として前記表示領域を回転させ、回転後の前記表示領域に含まれる画像を新たな前記表示画像として決定する
請求項１に記載の表示装置。
【請求項４】
前記回転検出部は、
前記表示画面が、前記表示画面を含む面内で、前記表示画面が回転した角度である回転角度を前記回転情報として検出し、
前記表示画像決定部は、
前記表示領域を、前記回転情報に含まれる前記回転角度だけ回転させ、回転後の前記表示領域に含まれる画像を新たな前記表示画像として決定する
請求項１〜３のいずれか１項に記載の表示装置。
【請求項５】
前記表示画像決定部は、
前記表示画面より大きい前記コンテンツ画像上の領域である前記表示領域を前記コンテンツ画像から切り出し、切り出した前記表示領域に含まれる画像を前記表示画像として決定する
請求項１〜４のいずれか１項に記載の表示装置。
【請求項６】
表示画面を有する表示装置における表示方法であって、
前記表示画面が、前記表示画面を含む面内で回転したことを回転情報として検出する回転検出ステップと、
ユーザーの操作により指定される前記表示画面上の位置である指定位置を検出する操作検出ステップと、
コンテンツ画像上の領域である表示領域に含まれる画像を表示画像として決定する表示画像決定ステップと、
前記表示画像決定ステップにおいて決定された前記表示画像を、前記表示画面に表示させる表示制御ステップとを含み、
前記表示画像決定部において、
前記回転検出ステップにおいて前記回転情報が検出されたときに、前記回転情報に基づいて、前記操作検出ステップにおいて検出された前記指定位置を回転中心として前記表示領域を回転させ、回転後の前記表示領域に含まれる画像を新たな前記表示画像として決定する
表示方法。
【請求項７】
請求項６の表示方法をコンピュータに実行させるためのプログラム。
【発明の詳細な説明】
【技術分野】
【０００１】
本発明は、表示装置および表示方法に関する。特に、表示画面を有する表示装置および表示方法に関する。
【背景技術】
【０００２】
近年、携帯電話機、ＰＨＳ（Ｐｅｒｓｏｎａｌ   Ｈａｎｄｙｐｈｏｎｅ  Ｓｙｓｔｅｍ）、ＰＤＡ（Ｐｅｒｓｏｎａｌ  Ｄｉｇｉｔａｌ   Ａｓｓｉｓｔａｎｔ）のような携帯型の情報表示端末が高機能化している。このような携帯型の情報表示端末は、ＰＣ（Ｐｅｒｓｏｎａｌ  Ｃｏｍｐｕｔｅｒ）と同様にウェブブラウザを搭載し、インターネット上に存在する画像等の様々なコンテンツを表示することが可能である。一般的に、携帯型の情報表示端末は、可搬性を考慮し、小型化される。その結果、情報表示端末が表示可能な画面サイズが限られる。ユーザーは、情報表示端末の画面より大きなコンテンツを閲覧する場合に、タッチパネル画面等を通じて操作を行い、表示画面に見たい箇所が表示されるように表示範囲を移動させる。【０００３】
また、情報表示端末の画面の表示方向には、縦方向又は横方向がある。ここで、縦方向とは、画面の短辺が水平になるような表示方向のことであり、ポートレートモードとも呼ばれる。横方向とは、画面の長辺が水平になるような表示方向のことであり、ランドスケープモードとも呼ばれる。上記の表示方向のことを、画面の縦横方向と称する。【０００４】
ユーザーは、情報表示端末の画面の縦横方向を切り替えることにより、所望のスタイルでコンテンツを視聴することが可能である。【０００５】
一方、情報表示端末の表示画面の縦横方向を切り替える技術が開示されている（例えば、特許文献１）。
【先行技術文献】
【特許文献】
【０００６】
【特許文献１】特開２００６−２０８５６０号公報
【発明の概要】
【発明が解決しようとする課題】
【０００７】
しかしながら、情報表示端末上で、新聞や雑誌等を視聴しながら表示画面を回転し、画面の縦横方向を切り替えた後、ユーザーが注視している点（注視点）が表示画面上の別の場所又は表示画面外に移動することがある。その場合、ユーザーは、表示画面の回転による縦横方向の切り替え前に注視していた場所を、切り替え後の画面において探した後に再び注視する必要がある。つまり、画面回転の前後で画面に表示されるコンテンツの連続性が分断されるという問題がある。【０００８】
そこで、本発明の目的は、上記問題点に鑑みてなされたものであり、画面回転の前後で画面に表示されるコンテンツの連続性が維持される表示装置等を提供することにある。
【課題を解決するための手段】
【０００９】
上記目的を達成するために、本発明の一態様に係る表示装置は、表示画面を有する表示装置であって、前記表示画面が、前記表示画面を含む面内で回転したことを回転情報として検出する回転検出部と、ユーザーの操作により指定される前記表示画面上の位置である指定位置を検出する操作検出部と、コンテンツ画像上の領域である表示領域に含まれる画像を表示画像として決定する表示画像決定部と、前記表示画像決定部が決定した前記表示画像を、前記表示画面に表示させる表示制御部とを備え、前記表示画像決定部は、前記回転検出部が前記回転情報を検出したときに、前記回転情報に基づいて、前記操作検出部が検出した前記指定位置を回転中心として前記表示領域を回転させ、回転後の前記表示領域に含まれる画像を新たな前記表示画像として決定する。【００１０】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１１】
本発明によれば、新聞や雑誌等のコンテンツを視聴する情報表示端末において、ユーザーが注視点を見失うことなく、表示画面の縦横方向を自由に切り替えながら視聴することが可能となる。
【図面の簡単な説明】
【００１２】
【図１】図１は、本発明の実施の形態に係る表示装置のハードウェア構成の一例を示す図である。
【図２】図２は、本発明の実施の形態に係る表示装置の一構成例を示すブロック図である。
【図３】図３は、本発明の実施の形態に係る表示装置の動作の一例を示すフローチャートである。
【図４】図４は、本発明の実施の形態に係る表示画像決定部の動作を示すフローチャートである。
【図５】図５は、表示装置の表示内容の一例を示す図である。
【図６】図６は、注視点を設定する操作の説明図である。
【図７】図７は、記憶部が記憶している表示内容の元データである地図データを示す図である。
【図８Ａ】図８Ａは、表示画面が表示する回転前の画像領域と回転後の画像領域を示す図である。
【図８Ｂ】図８Ｂは、表示画面の回転前後の画像領域の座標の計算過程の説明図である。
【図９】図９は、回転後の表示装置を示す図である。
【図１０】図１０は、元データにおいて、表示画面の中央を中心点とした場合の表示画像の領域を示す図である。
【図１１】図１１は、表示装置の表示内容の一例を示す図である。
【発明を実施するための形態】
【００１３】
（本発明の基礎となった知見）
本発明者は、「背景技術」の欄に記載した情報表示端末の画面の縦横方向の切り替えおいて、以下の問題が生ずることを見出した。
【００１４】
特許文献１に開示される技術によれば、表示画面に表示された部分画像領域の特定の表示位置を固定し、固定した部分画像領域の特定の表示位置を起点とし、表示画面を回転移動させ、回転移動させた表示画面の位置に対応した仮想画像領域の部分画像領域を表示画面に表示することができる。
【００１５】
しかしながら、情報表示端末上で、新聞や雑誌等を視聴しながら表示画面を回転し、画面の縦横方向を切り替えた後、ユーザーが注視している点が表示画面上の別の場所又は表示画面外に移動することがある。その場合、ユーザーは、表示画面の回転による縦横方向の切り替え前に注視していた場所を、切り替え後の画面において探した後に再び注視する必要がある。つまり、画面回転の前後で画面に表示されるコンテンツの連続性が分断されるという問題がある。
【００１６】
このような問題を解決するために、本発明の一態様に係る表示装置は、表示画面を有する表示装置であって、前記表示画面が、前記表示画面を含む面内で回転したことを回転情報として検出する回転検出部と、ユーザーの操作により指定される前記表示画面上の位置である指定位置を検出する操作検出部と、コンテンツ画像上の領域である表示領域に含まれる画像を表示画像として決定する表示画像決定部と、前記表示画像決定部が決定した前記表示画像を、前記表示画面に表示させる表示制御部とを備え、前記表示画像決定部は、前記回転検出部が前記回転情報を検出したときに、前記回転情報に基づいて、前記操作検出部が検出した前記指定位置を回転中心として前記表示領域を回転させ、回転後の前記表示領域に含まれる画像を新たな前記表示画像として決定する。
【００１７】
これによれば、回転前の画面においてユーザーがコンテンツ画像上の注視点を指定し、当該注視点を回転中心として表示内容を回転させることにより、ユーザーがコンテンツ画像上の注視点を見失うことなく画面を回転させることができる。つまり、ユーザーは、回転の前後でコンテンツを継続的に閲覧することができる。よって、画面回転の前後で画面に表示されるコンテンツの連続性が維持される。
【００１８】
また、例えば、前記操作検出部は、前記表示画面上に物体を接触させることでユーザーにより指定される前記指定位置を検出する。
【００１９】
これによれば、ユーザーの指、または、画面入力用のペンのような物体の接触により、ユーザーが直感的にコンテンツ画像上の注視点を指定することができる。そして、ユーザーは、回転の前後でコンテンツを継続的に閲覧することができる。よって、画面回転の前後で画面に表示されるコンテンツの連続性が維持される。
【００２０】
また、例えば、前記表示画像決定部は、前記指定位置が検出されない場合に、前記表示画面上の所定位置を回転中心として前記表示領域を回転させ、回転後の前記表示領域に含まれる画像を新たな前記表示画像として決定する。
【００２１】
これによれば、ユーザーがコンテンツ画像上の注視点を明示的に指定しない場合は、画面上の所定位置を回転中心として表示内容を回転させることができる。所定位置をユーザーの好みの画面上の位置にあらかじめ設定しておくことにすれば、ユーザーは画面を回転させる度に注視点を指定する必要がなく、利便性が向上する。
【００２２】
また、例えば、前記回転検出部は、前記表示画面が、前記表示画面を含む面内で、前記表示画面が回転した角度である回転角度を前記回転情報として検出し、前記表示画像決定部は、前記表示領域を、前記回転情報に含まれる前記回転角度だけ回転させ、回転後の前記表示領域に含まれる画像を新たな前記表示画像として決定する。
【００２３】
これによれば、表示画面が回転した角度に等しい角度だけ、注視点を回転中心として表示内容を回転させることができる。
【００２４】
また、例えば、前記表示画像決定部は、前記表示画面より大きい前記コンテンツ画像上の領域である前記表示領域を前記コンテンツ画像から切り出し、切り出した前記表示領域に含まれる画像を前記表示画像として決定する。
【００２５】
これによれば、表示装置の画面より大きいコンテンツ画像の一部の領域を表示領域とし、画面の回転操作があったときに、ユーザーの注視点を画面内に維持しながら、コンテンツ画像の別の一部を含むように表示領域を変更させることができる。よって、画面回転の前後で画面に表示されるコンテンツの連続性が維持される。
【００２６】
また、本発明の一態様に係る表示方法は、表示画面を有する表示装置における表示方法であって、前記表示画面が、前記表示画面を含む面内で回転したことを回転情報として検出する回転検出ステップと、ユーザーの操作により指定される前記表示画面上の位置である指定位置を検出する操作検出ステップと、コンテンツ画像上の領域である表示領域に含まれる画像を表示画像として決定する表示画像決定ステップと、前記表示画像決定ステップにおいて決定された前記表示画像を、前記表示画面に表示させる表示制御ステップとを含み、前記表示画像決定部において、前記回転検出ステップにおいて前記回転情報が検出されたときに、前記回転情報に基づいて、前記操作検出ステップにおいて検出された前記指定位置を回転中心として前記表示領域を回転させ、回転後の前記表示領域に含まれる画像を新たな前記表示画像として決定する。
【００２７】
これにより、上記の表示装置と同様の効果を奏する。
【００２８】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００２９】
以下、本発明の一態様に係る表示装置について、図面を参照しながら具体的に説明する。
【００３０】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３１】
（実施の形態）
本実施の形態において、コンテンツ画像の一部を表示している表示画面の表示方向が回転により切り替えられる際に、回転前にユーザーが注視していた表示画面上の点を、回転後の表示画面内に継続して表示させる例を示す。
【００３２】
図１は、本実施の形態の表示装置１０１のハードウェア構成の一例を示す図である。
【００３３】
図１において、本実施の形態の表示装置１０１は、ボタン１０２、ボタン１０３、ボタン１０４、及び、表示画面１０５を備える。
【００３４】
ボタン１０２は、「メニューボタン」である。ユーザー操作によりボタン１０２が押下されると、表示装置１０１は、現在表示されている画像に割り当てられたメニュー画面を表示する。
【００３５】
ボタン１０３は、「ＨＯＭＥボタン」である。ユーザー操作によりボタン１０３が押下されると、表示装置１０１は、現在の画像表示を終了し、メイン画面を表示する。
【００３６】
ボタン１０４は、「戻るボタン」である。ユーザー操作によりボタン１０４が押下されると、表示装置１０１は、現在の画面表示を終了し、一つ前に表示されていた画像を表示する。
【００３７】
表示画面１０５は、地図データ等のコンテンツの画像（コンテンツ画像）を表示するものである。表示画面１０５上には、操作検出部が配置されている（不図示）。操作検出部は、例えば、タッチパネルであり、表示画面と指との接触を検出する。
【００３８】
図２は、本発明の実施の形態における表示装置１０１の一構成例を示すブロック図である。図２に示すように、表示装置１０１は、操作検出部２０１、回転検出部２０２、制御部２０３、表示画像決定部２０４、表示制御部２０５、記憶部２０６、および、表示画面１０５とを備える。
【００３９】
操作検出部２０１は、ユーザーの指が画面上に触れた接触位置を検出すると共に、表示画面１０５上における座標位置を示す位置情報を算出し、制御部２０３に出力する。操作検出部２０１は、例えば、タッチパネルで実現される。ここで接触位置は、ユーザーの指以外の物体がユーザーの操作により画面に触れたときの、当該物体と画面との接触位置も含まれる。ユーザーの指以外の物体とは、例えば、スタイラスまたは画面入力用のペンなどである。さらに、接触位置を指定する操作態様は、どんなものであってもよい。接触位置を指定する操作態様は、例えば、シングルタップ、ダブルタップ、または、所定の図形を描くような操作などであってよい。ここで、使用中のアプリケーションにおいて実行される機能が割り当てられていない操作態様を、当該接触位置の指定に割り当てるようにしてもよい。
【００４０】
回転検出部２０２は、表示装置１０１の向きが変更されたことを検出し、表示制御部２０５に対して、画面が回転したことを示す回転情報を制御部２０３に出力する。回転検出部２０２は、例えば、加速度センサで実現される。なお、回転情報は、例えば、変更後の画面を表示する向きを示す情報である。
【００４１】
制御部２０３は、操作検出部２０１及び、回転検出部２０２より出力された情報に基づいて、表示画像を回転させる際の回転中心点（以降、単に中心点とも称する）を決定し、表示画像決定部２０４に中心点情報及び回転情報を出力する。
【００４２】
表示画像決定部２０４は、中心点情報及び回転情報より、表示画面１０５に表示する表示画像を決定する。
【００４３】
表示制御部２０５は、記憶部２０６から、表示画像決定部２０４が決定した画像の座標位置に基づいたデータを読み出し、表示画面１０５上に表示する。
【００４４】
記憶部２０６は、表示画面１０５に表示する表示内容（コンテンツ画像）の元データ（以降、単に元データとも称する）を記録する。
【００４５】
以下、本実施の形態の表示装置１０１の動作について説明する。図３は、表示装置１０１の動作の一例を説明するフローチャートである。
【００４６】
まず、制御部２０３は、中心点情報をクリアする（ステップＳ３０１）。
【００４７】
次に、制御部２０３は、操作検出部２０１または回転検出部２０２から情報が通知されたかどうかを判定する（ステップＳ３０２）。制御部２０３は、情報が通知されるまで、ステップＳ３０２の処理を繰り返す。
【００４８】
制御部２０３は、ステップＳ３０２において何らかの情報が通知されたことを検出すると（ステップＳ３０２でＹＥＳ）、通知された情報が回転検出部２０２から通知される回転情報であるかどうかを判定する（ステップＳ３０３）。
【００４９】
制御部２０３は、ステップＳ３０２において通知された情報が回転情報ではないと判定した場合（ステップＳ３０３でＮＯ）、通知された情報は、操作検出部２０１からの位置情報であると判定する。制御部２０３は、通知された位置情報を中心点情報として保持し（ステップＳ３０４）、ステップＳ３０２に戻る。
【００５０】
制御部２０３は、ステップＳ３０３において、回転情報が通知されたと判定した場合（ステップＳ３０３でＹＥＳ）、中心点情報を保持しているか否かを判定する（ステップＳ３０５）。
【００５１】
制御部２０３は、ステップＳ３０５において、中心点情報を保持していないと判定した場合（ステップＳ３０５でＮＯ）、表示画面１０５上の所定位置を中心点として決定する。制御部２０３は、決定した中心点の座標を示す中心点情報と回転情報とを表示画像決定部２０４に通知する（ステップＳ３０６）。なお、所定位置とは、表示画面１０５上のあらかじめ決められた位置のことであり、例えば、表示画面１０５の中央の点とすることができる。
【００５２】
制御部２０３は、ステップＳ３０５において、中心点情報を保持していると判定した場合（ステップＳ３０５でＹＥＳ）、保持している中心点情報と回転情報とを表示画像決定部２０４に通知する（ステップＳ３０７）。
【００５３】
次に、表示画像決定部２０４は、現在の表示位置の座標と、制御部２０３から通知された中心点情報及び回転情報とから、次に表示すべき画像の座標及び表示範囲を決定し、表示制御部２０５に通知する（ステップＳ３０８）。ステップＳ３０８における表示画像決定部２０４の詳細な動作については、後述する。
【００５４】
次に、表示制御部２０５は、表示画像決定部２０４から通知された座標及び表示範囲に基づき、記憶部２０６からデータを読み込み、表示画面１０５上に表示する（ステップＳ３０９）。その後、ステップＳ３０１に戻る。
【００５５】
以下、ステップＳ３０８における表示画像決定部２０４の詳細な動作について、図４を用いて説明する。図４は、ステップＳ３０８における表示画像決定部２０４の動作を示すフローチャートである。
【００５６】
まず、表示画像決定部２０４は、記憶部２０６に記憶されている元データにおける表示画面１０５に表示中の表示画像の基準点の座標を算出する（ステップＳ４０１）。ここで、表示画像の基準点とは、表示画像の中の任意の点を用いることができる。以降では、当該基準点として、表示画像内で最も左下に位置する点（左下点）を用いる場合について説明する。
【００５７】
次に、表示画像決定部２０４は、制御部２０３より通知された中心点情報とステップ４０１で検出された座標と回転情報とを用いて、回転後に表示される表示画像の左下点の座標を算出する（ステップＳ４０２）。
【００５８】
次に、表示画像決定部２０４は、ステップＳ４０２に算出した座標と回転情報とを用いて、表示画面１０５に表示する表示画像を決定する（ステップＳ４０３）。
【００５９】
以下、コンテンツ画像として地図データを表示装置１０１に表示する場合を例として、本実施の形態の表示装置１０１の動作を具体的に説明する。ここでは、ユーザーが表示装置１０１を持ち替えることにより、画面の縦横方向が横方向から縦方向に切り替えられる場合を例として、図面を用いて説明する。
【００６０】
図５は、表示装置１０１の表示画面１０５の表示内容の一例を示す図である。図５において、表示装置１０１は、表示画面１０５に地図データを表示している。図６は注視点を設定する操作の説明図である。図７は、記憶部２０６が記憶している表示内容の元データを示す図である。図８Ａは、回転前及び回転後の表示画像を説明するための図である。図９は、表示装置１０１を縦方向に持ち替えた場合の表示内容の一例を示す図である。
【００６１】
最初、図５に示すように、ユーザーは、表示装置１０１の画面の表示方向が横方向になるように持ち、表示画面１０５に地図を表示している。表示画面１０５に表示されている地図は、記憶部２０６に記憶されている表示内容の元データの一部である。
【００６２】
次に、図６に示すように、ユーザーは表示画面１０５上で注視点を選択することで、回転の中心点を決定する。ここで、ユーザーが、表示装置１０１の表示画面１０５上に表示されている地図上の家６０３を注視点として選択した場合について詳細に説明する。
【００６３】
図６において、表示画面１０５における左下点である点６０４を表示画面１０５における原点（０，０）とし、点６０４より右方向をＸ軸、上方向をＹ軸とする。ユーザーは、注視点である家６０３を自身の指６０１でタップすることによって、中心点を選択する。表示装置１０１は、中心点として選択された箇所を、例えば、色つきの点６０２を表示することによって、ユーザーに中心点を明示するようにしてもよい。なお、中心点の表示方法は点に限らず、中心点と指定した位置を明示的に示すものであればよい。なお、ユーザーによる注視点を、ユーザーの指６０１でタップすることで選択するとしたが、指ではなく、指以外の物体による選択であってもよい。ここで指以外の物体とは、例えば、スタイラスまたは画面入力用のペンなどである。
【００６４】
この時、操作検出部２０１は、点６０４を原点として、中心点６０２の座標を検出し、検出した座標（θ，γ）を位置情報として制御部２０３に通知する。制御部２０３は、通知された中心点６０２の座標を中心点情報として保持する。
【００６５】
次に、ユーザーは、表示装置１０１を、画面の表示方向が横方向から縦方向になるように持ち替える。回転検出部２０２は、表示装置１０１が回転されたことを検出し、回転情報を制御部２０３に通知する。なお、回転情報は、回転方向と回転角度とを示す情報であってもよい。また、回転情報は、横方向から縦方向に回転されたというように、回転前の方向と回転後の方向とを示す情報であってもよい。また、回転情報は、回転後の方向だけを示す情報であってもよい。回転後の情報だけを示す場合は、回転前の状態を保持していることを前提とする。
【００６６】
制御部２０３は、回転検出部２０２より回転情報が通知されると、中心点情報を保持しているか否かを判定する。この場合、中心点６０２の座標を中心点情報として保持しているので、制御部２０３は保持している中心点情報を回転情報と共に、表示画像決定部２０４に通知する。
【００６７】
表示画像決定部２０４は、制御部２０３より中心点情報と回転情報とを受け取ると、以下の処理を行う。まず、記憶部２０６に記憶されている表示内容の元データにおける、表示画面１０５の原点である点６０４の座標を算出する。図７は、記憶部２０６が記憶している表示内容の元データである地図データ７０１を示す。図７において、点７０３を原点（０，０）として、点７０３より右方向をＸ方向、点７０３より上方向をＹ方向として説明する。
【００６８】
本実施の形態の地図データ７０１上には、住宅と道路とが含まれる。図７において、領域７０２で囲まれる部分は、表示装置１０１の表示画面１０５上に表示している表示画像に相当する。表示画像決定部２０４は、地図データ７０１上における点６０４の座標（Ｐ１，Ｑ１）を検出する。ここで、表示画面１０５の短辺の長さをα、長辺の長さをβとすると、領域７０２は、元データにおいて、座標（Ｐ１、Ｑ１）からＸ軸方向に距離β、Ｙ軸方向に距離αの矩形の範囲の領域のデータとなる。
【００６９】
次に、表示画像決定部２０４は、制御部２０３より通知された中心点情報と回転情報と点６０４の座標とを用いて、回転後に表示画面１０５の原点となる位置の、地図データ７０１上の座標（Ｐ２，Ｑ２）を算出する。
【００７０】
図８Ａは、表示画面１０５が表示する回転前の画像領域と回転後の画像領域とを示す図である。図８Ａにおいて、点７０３より右方向をＸ方向とし、点７０３より上方向をＹ方向とする。
【００７１】
図８Ａにおいて、点８０１は回転後の表示画面１０５の原点となる点、領域８０２は回転後に表示画面１０５に表示される画像の領域を示す。図８Ａに示すように、領域８０２は領域７０２を、点６０２を中心に表示画面が縦方向となるように回転したものである。図８Ｂは、表示画面の回転前後の画像領域の座標の計算過程の説明図である。図８Ｂに示すように、点８０１の座標（Ｐ２，Ｑ２）は、（Ｐ１＋θ−γ,Ｑ１＋θ＋γ−β）で算出できる。
【００７２】
表示画像決定部２０４は、算出した座標（Ｐ２，Ｑ２）からＸ軸方向に距離α、Ｙ軸方向に距離βの領域８０２を表示すべき表示画像として決定する。
【００７３】
図９に、回転後の表示装置１０１を示す。図９に示すように、ユーザーが選択していた中心点６０２を中心に表示画面が回転し、ユーザーが注視していた家６０３が画面外に外れることなく表示される。従って、ユーザーは注視点を見失うことなく、画面の表示方向を変更することが可能となる。
【００７４】
次に、ユーザーにより中心点が設定されなかった場合について説明する。
【００７５】
まず、ユーザーが表示装置１０１を図５の横方向に持った状態から、表示装置１０１を縦方向に持ち替えたとする。回転検出部２０２は、表示装置１０１が回転されたことを検出し、回転情報を制御部２０３に通知する。制御部２０３は、回転検出部２０２より回転情報を通知されると、中心点情報を保持しているかどうかを判定する。この場合、中心点情報は保持していないので、制御部２０３は、表示画面１０５内の所定位置を中心点とする。なお、所定位置とは、表示画面１０５上のあらかじめ決められた位置のことであり、例えば、表示画面１０５の中央の点とすることができる。以降では、所定位置を、表示画面１０５の中央の点とする場合について説明する。
【００７６】
図１０は、元データにおいて、表示画面の中央を中心点とした場合の表示画像の領域を示す図である。
【００７７】
図１０において、表示内容の元データ１００１において、図１０の表示画像１００２は回転前の表示画像、表示画像１００３は回転後の表示画像、点１００４は表示画像１００２の中央点である。表示画像１００３は、図５の状態において表示画面１０５に表示されている画像である。この場合、回転の中心点となる点１００４は、画面の中央に固定されるため、表示画像１００２の中心にある家１００５に回転の中心点が設定される。
【００７８】
図１１は、表示装置の表示画面の表示内容の一例を示す図である。図１１において、表示画像１００２が表示装置１０１の表示画面１０５に表示されている。図１１に示すように、回転前の表示画面１０５において中央に位置していた家１００５が回転後の表示画面１０５においても、中央に位置するように表示されている。
【００７９】
以上、本発明に係る実施の形態によれば、表示されている地図情報や、新聞、雑誌等のコンテンツの表示方向を変更する際に、ユーザはコンテンツを連続的に閲覧することができる。つまり、画面回転の前後でコンテンツの連続性が維持される表示装置を実現できる。
【００８０】
なお、本実施の形態では、表示装置の画面を横方向から縦方向に持ち替えた場合を例にとって説明したが、縦方向から横方向へ持ち替えた場合も同様の方法で実現できる。
【００８１】
なお、本実施の形態では、表示装置の画面を横方向から縦方向へ９０度回転させる例を示したが、表示装置の画面の縦横方向の回転が９０度より小さい場合についても同様の方法で実現できる。さらに、表示装置の画面の縦横方向の回転角度が９０度より小さい場合であっても、当該回転角度が所定角度以上なら、表示装置の画面を９０度回転させることとしてもよい。その場合、当該回転角度が所定角度以下の場合には表示装置の画面を回転させないとしてもよい。
【００８２】
なお、本実施の形態では、表示装置の表示画面全体にコンテンツ画像の一部を表示させる例を示したが、表示画面の一部にコンテンツ画像の一部を表示させることも同様に可能である。その場合、本実施の形態における表示画面として、表示画面の一部を用いることで実現できる。
【００８３】
以上のように、本発明の一態様に係る表示装置によれば、回転前の画面においてユーザーがコンテンツ画像上の注視点を指定し、当該注視点を回転中心として表示内容を回転させることにより、ユーザーがコンテンツ画像上の注視点を見失うことなく画面を回転させることができる。つまり、ユーザーは、回転の前後でコンテンツを継続的に閲覧することができる。よって、画面回転の前後で画面に表示されるコンテンツの連続性が維持される。
【００８４】
また、ユーザーの指、または、画面入力用のペンのような物体の接触により、ユーザーが直感的にコンテンツ画像上の注視点を指定することができる。そして、ユーザーは、回転の前後でコンテンツを継続的に閲覧することができる。よって、画面回転の前後で画面に表示されるコンテンツの連続性が維持される。
【００８５】
また、ユーザーがコンテンツ画像上の注視点を明示的に指定しない場合は、画面上の所定位置を回転中心として表示内容を回転させることができる。所定位置をユーザーの好みの画面上の位置にあらかじめ設定しておくことにすれば、ユーザーは画面を回転させる度に注視点を指定する必要がなく、利便性が向上する。
【００８６】
また、表示画面が回転した角度に等しい角度だけ、注視点を回転中心として表示内容を回転させることができる。
【００８７】
また、表示装置の画面より大きいコンテンツ画像の一部の領域を表示領域とし、画面の回転操作があったときに、ユーザーの注視点を画面内に維持しながら、コンテンツ画像の別の一部を含むように表示領域を変更させることができる。よって、画面回転の前後で画面に表示されるコンテンツの連続性が維持される。
【００８８】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示装置などを実現するソフトウェアは、次のようなプログラムである。
【００８９】
すなわち、このプログラムは、コンピュータに、表示画面を有する表示装置における表示方法であって、前記表示画面が、前記表示画面を含む面内で回転したことを回転情報として検出する回転検出ステップと、ユーザーの操作により指定される前記表示画面上の位置である指定位置を検出する操作検出ステップと、コンテンツ画像上の領域である表示領域に含まれる画像を表示画像として決定する表示画像決定ステップと、前記表示画像決定ステップにおいて決定された前記表示画像を、前記表示画面に表示させる表示制御ステップとを含み、前記表示画像決定部において、前記回転検出ステップにおいて前記回転情報が検出されたときに、前記回転情報に基づいて、前記操作検出ステップにおいて検出された前記指定位置を回転中心として前記表示領域を回転させ、回転後の前記表示領域に含まれる画像を新たな前記表示画像として決定する処理を実行させる。
【００９０】
以上、本発明の一つまたは複数の態様に係る表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００９１】
本発明は、ネットワークに接続される情報配信装置、情報表示端末、携帯端末、又は、情報配信システムなどに利用することができる。特に個人が所有するポータブル型の情報表示端末に利用することができる。
【符号の説明】
【００９２】
１０１  表示装置
１０２、１０３、１０４  ボタン
１０５  表示画面
２０１  操作検出部
２０２  回転検出部
２０３  制御部
２０４  表示画像決定部
２０５  表示制御部
２０６  記憶部
【図１】
2013124912.tif 000003
【図２】
2013124912.tif 000004
【図３】
2013124912.tif 000005
【図４】
2013124912.tif 000006
【図５】
2013124912.tif 000007
【図６】
2013124912.tif 000008
【図７】
2013124912.tif 000009
【図８Ａ】
2013124912.tif 000010
【図８Ｂ】
2013124912.tif 000011
【図９】
2013124912.tif 000012
【図１０】
2013124912.tif 000013
【図１１】
2013124912.tif 000014
【手続補正書】
【提出日】平成25年2月14日(2013.2.14)
【手続補正１】
【補正対象書類名】明細書
【補正対象項目名】全文
【補正方法】変更
【補正の内容】
【発明の詳細な説明】
【技術分野】
【０００１】
本発明は、表示装置および表示方法に関する。
【背景技術】
【０００２】
近年、携帯電話機、ＰＨＳ（Ｐｅｒｓｏｎａｌ   Ｈａｎｄｙｐｈｏｎｅ  Ｓｙｓｔｅｍ）、ＰＤＡ（Ｐｅｒｓｏｎａｌ  Ｄｉｇｉｔａｌ   Ａｓｓｉｓｔａｎｔ）のような携帯型の情報表示端末が高機能化している。このような携帯型の情報表示端末は、ＰＣ（Ｐｅｒｓｏｎａｌ  Ｃｏｍｐｕｔｅｒ）と同様にウェブブラウザを搭載し、インターネット上に存在する画像等の様々なコンテンツを表示することが可能である。一般的に、携帯型の情報表示端末は、可搬性を考慮し、小型化される。その結果、情報表示端末が表示可能な画面サイズが限られる。ユーザーは、情報表示端末の画面より大きなコンテンツを閲覧する場合に、タッチパネル画面等を通じて操作を行い、表示画面に見たい箇所が表示されるように表示範囲を移動させる。
【０００３】
また、情報表示端末の画面の表示方向には、縦方向又は横方向がある。ここで、縦方向とは、画面の短辺が水平になるような表示方向のことであり、ポートレートモードとも呼ばれる。横方向とは、画面の長辺が水平になるような表示方向のことであり、ランドスケープモードとも呼ばれる。上記の表示方向のことを、画面の縦横方向と称する。
【０００４】
ユーザーは、情報表示端末の画面の縦横方向を切り替えることにより、所望のスタイルでコンテンツを視聴することが可能である。
【０００５】
一方、情報表示端末の表示画面の縦横方向を切り替える技術が開示されている（例えば、特許文献１）。
【先行技術文献】
【特許文献】
【０００６】
【特許文献１】特開２００６−２０８５６０号公報
【発明の概要】
【発明が解決しようとする課題】
【０００７】
しかしながら、情報表示端末上で、新聞や雑誌等を視聴しながら表示画面を回転し、画面の縦横方向を切り替えた後、ユーザーが注視している点（注視点）が表示画面上の別の場所又は表示画面外に移動することがある。その場合、ユーザーは、表示画面の回転による縦横方向の切り替え前に注視していた場所を、切り替え後の画面において探した後に再び注視する必要がある。つまり、画面回転の前後で画面に表示されるコンテンツの連続性が分断されるという問題がある。
【０００８】
そこで、本発明の目的は、上記問題点に鑑みてなされたものであり、画面回転の前後で画面に表示されるコンテンツの連続性が維持される表示装置等を提供することにある。
【課題を解決するための手段】
【０００９】
上記目的を達成するために、本発明の一態様に係る表示装置は、表示装置であって、前記表示装置に対して固定され、画像の一部の領域を表示する表示画面と、前記表示画面に表示された前記画像の一部の領域内の位置を指定する指定部と、前記表示画面を含む面内における前記表示装置の回転を示す回転情報を検出する検出部と、前記検出部が検出した前記回転情報に基づいて、前記指定部が指定した位置を中心に前記画像の一部の領域を回転させ、回転させた後の前記画像の一部の領域を前記表示画面に表示させるように、前記表示画面の表示内容を更新する更新部とを備える。
【００１０】
また、本発明の別の一態様に係る表示装置は、表示画面を有する表示装置であって、前記表示画面が、前記表示画面を含む面内で回転したことを回転情報として検出する回転検出部と、ユーザーの操作により指定される前記表示画面上の位置である指定位置を検出する操作検出部と、コンテンツ画像上の領域である表示領域に含まれる画像を表示画像として決定する表示画像決定部と、前記表示画像決定部が決定した前記表示画像を、前記表示画面に表示させる表示制御部とを備え、前記表示画像決定部は、前記回転検出部が前記回転情報を検出したときに、前記回転情報に基づいて、前記操作検出部が検出した前記指定位置を回転中心として前記表示領域を回転させ、回転後の前記表示領域に含まれる画像を新たな前記表示画像として決定する。
【００１１】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１２】
本発明によれば、新聞や雑誌等のコンテンツを視聴する情報表示端末において、ユーザーが注視点を見失うことなく、表示画面の縦横方向を自由に切り替えながら視聴することが可能となる。
【図面の簡単な説明】
【００１３】
【図１】図１は、本発明の実施の形態に係る表示装置のハードウェア構成の一例を示す図である。
【図２】図２は、本発明の実施の形態に係る表示装置の一構成例を示すブロック図である。
【図３】図３は、本発明の実施の形態に係る表示装置の動作の一例を示すフローチャートである。
【図４】図４は、本発明の実施の形態に係る表示画像決定部の動作を示すフローチャートである。
【図５】図５は、表示装置の表示内容の一例を示す図である。
【図６】図６は、注視点を設定する操作の説明図である。
【図７】図７は、記憶部が記憶している表示内容の元データである地図データを示す図である。
【図８Ａ】図８Ａは、表示画面が表示する回転前の画像領域と回転後の画像領域を示す図である。
【図８Ｂ】図８Ｂは、表示画面の回転前後の画像領域の座標の計算過程の説明図である。
【図９】図９は、回転後の表示装置を示す図である。
【図１０】図１０は、元データにおいて、表示画面の中央を中心点とした場合の表示画像の領域を示す図である。
【図１１】図１１は、表示装置の表示内容の一例を示す図である。
【発明を実施するための形態】
【００１４】
（本発明の基礎となった知見）
本発明者は、「背景技術」の欄に記載した情報表示端末の画面の縦横方向の切り替えにおいて、以下の問題が生ずることを見出した。
【００１５】
特許文献１に開示される技術によれば、表示画面に表示された部分画像領域の特定の表示位置を固定し、固定した部分画像領域の特定の表示位置を起点とし、表示画面を回転移動させ、回転移動させた表示画面の位置に対応した仮想画像領域の部分画像領域を表示画面に表示することができる。
【００１６】
しかしながら、情報表示端末上で、新聞や雑誌等を視聴しながら表示画面を回転し、画面の縦横方向を切り替えた後、ユーザーが注視している点が表示画面上の別の場所又は表示画面外に移動することがある。その場合、ユーザーは、表示画面の回転による縦横方向の切り替え前に注視していた場所を、切り替え後の画面において探した後に再び注視する必要がある。つまり、画面回転の前後で画面に表示されるコンテンツの連続性が分断されるという問題がある。
【００１７】
このような問題を解決するために、本発明の一態様に係る表示装置は、表示装置であって、前記表示装置に対して固定され、画像の一部の領域を表示する表示画面と、前記表示画面に表示された前記画像の一部の領域内の位置を指定する指定部と、前記表示画面を含む面内における前記表示装置の回転を示す回転情報を検出する検出部と、前記検出部が検出した前記回転情報に基づいて、前記指定部が指定した位置を中心に前記画像の一部の領域を回転させ、回転させた後の前記画像の一部の領域を前記表示画面に表示させるように、前記表示画面の表示内容を更新する更新部とを備える。
【００１８】
また、本発明の別の一態様に係る表示装置は、表示画面を有する表示装置であって、前記表示画面が、前記表示画面を含む面内で回転したことを回転情報として検出する回転検出部と、ユーザーの操作により指定される前記表示画面上の位置である指定位置を検出する操作検出部と、コンテンツ画像上の領域である表示領域に含まれる画像を表示画像として決定する表示画像決定部と、前記表示画像決定部が決定した前記表示画像を、前記表示画面に表示させる表示制御部とを備え、前記表示画像決定部は、前記回転検出部が前記回転情報を検出したときに、前記回転情報に基づいて、前記操作検出部が検出した前記指定位置を回転中心として前記表示領域を回転させ、回転後の前記表示領域に含まれる画像を新たな前記表示画像として決定する。
【００１９】
これによれば、回転前の画面においてユーザーがコンテンツ画像上の注視点を指定し、当該注視点を回転中心として表示内容を回転させることにより、ユーザーがコンテンツ画像上の注視点を見失うことなく画面を回転させることができる。つまり、ユーザーは、回転の前後でコンテンツを継続的に閲覧することができる。よって、画面回転の前後で画面に表示されるコンテンツの連続性が維持される。
【００２０】
また、例えば、前記操作検出部は、前記表示画面上に物体を接触させることでユーザーにより指定される前記指定位置を検出する。
【００２１】
これによれば、ユーザーの指、または、画面入力用のペンのような物体の接触により、ユーザーが直感的にコンテンツ画像上の注視点を指定することができる。そして、ユーザーは、回転の前後でコンテンツを継続的に閲覧することができる。よって、画面回転の前後で画面に表示されるコンテンツの連続性が維持される。
【００２２】
また、例えば、前記表示画像決定部は、前記指定位置が検出されない場合に、前記表示画面上の所定位置を回転中心として前記表示領域を回転させ、回転後の前記表示領域に含まれる画像を新たな前記表示画像として決定する。
【００２３】
これによれば、ユーザーがコンテンツ画像上の注視点を明示的に指定しない場合は、画面上の所定位置を回転中心として表示内容を回転させることができる。所定位置をユーザーの好みの画面上の位置にあらかじめ設定しておくことにすれば、ユーザーは画面を回転させる度に注視点を指定する必要がなく、利便性が向上する。
【００２４】
また、例えば、前記回転検出部は、前記表示画面が、前記表示画面を含む面内で、前記表示画面が回転した角度である回転角度を前記回転情報として検出し、前記表示画像決定部は、前記表示領域を、前記回転情報に含まれる前記回転角度だけ回転させ、回転後の前記表示領域に含まれる画像を新たな前記表示画像として決定する。
【００２５】
これによれば、表示画面が回転した角度に等しい角度だけ、注視点を回転中心として表示内容を回転させることができる。
【００２６】
また、例えば、前記表示画像決定部は、前記表示画面より大きい前記コンテンツ画像上の領域である前記表示領域を前記コンテンツ画像から切り出し、切り出した前記表示領域に含まれる画像を前記表示画像として決定する。
【００２７】
これによれば、表示装置の画面より大きいコンテンツ画像の一部の領域を表示領域とし、画面の回転操作があったときに、ユーザーの注視点を画面内に維持しながら、コンテンツ画像の別の一部を含むように表示領域を変更させることができる。よって、画面回転の前後で画面に表示されるコンテンツの連続性が維持される。
【００２８】
また、本発明の一態様に係る表示方法は、表示装置であって、前記表示装置に対して固定され、画像の一部の領域を表示する表示画面を備える表示装置における表示方法であって、前記表示画面に表示された前記画像の一部の領域内の位置を指定する指定ステップと、前記表示画面を含む面内における前記表示装置の回転を示す回転情報を検出する検出ステップと、前記検出ステップで検出した前記回転情報に基づいて、前記指定ステップで指定した位置を中心に前記画像の一部の領域を回転させ、回転させた後の前記画像の一部の領域を前記表示画面に表示させるように、前記表示画面の表示内容を更新する更新ステップとを含む。
【００２９】
また、本発明の別の一態様に係る表示方法は、表示画面を有する表示装置における表示方法であって、前記表示画面が、前記表示画面を含む面内で回転したことを回転情報として検出する回転検出ステップと、ユーザーの操作により指定される前記表示画面上の位置である指定位置を検出する操作検出ステップと、コンテンツ画像上の領域である表示領域に含まれる画像を表示画像として決定する表示画像決定ステップと、前記表示画像決定ステップにおいて決定された前記表示画像を、前記表示画面に表示させる表示制御ステップとを含み、前記表示画像決定部において、前記回転検出ステップにおいて前記回転情報が検出されたときに、前記回転情報に基づいて、前記操作検出ステップにおいて検出された前記指定位置を回転中心として前記表示領域を回転させ、回転後の前記表示領域に含まれる画像を新たな前記表示画像として決定する。
【００３０】
これにより、上記の表示装置と同様の効果を奏する。
【００３１】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００３２】
以下、本発明の一態様に係る表示装置について、図面を参照しながら具体的に説明する。
【００３３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態）
本実施の形態において、コンテンツ画像の一部を表示している表示画面の表示方向が回転により切り替えられる際に、回転前にユーザーが注視していた表示画面上の点を、回転後の表示画面内に継続して表示させる例を示す。
【００３５】
図１は、本実施の形態の表示装置１０１のハードウェア構成の一例を示す図である。
【００３６】
図１において、本実施の形態の表示装置１０１は、ボタン１０２、ボタン１０３、ボタン１０４、及び、表示画面１０５を備える。
【００３７】
ボタン１０２は、「メニューボタン」である。ユーザー操作によりボタン１０２が押下されると、表示装置１０１は、現在表示されている画像に割り当てられたメニュー画面を表示する。
【００３８】
ボタン１０３は、「ＨＯＭＥボタン」である。ユーザー操作によりボタン１０３が押下されると、表示装置１０１は、現在の画像表示を終了し、メイン画面を表示する。
【００３９】
ボタン１０４は、「戻るボタン」である。ユーザー操作によりボタン１０４が押下されると、表示装置１０１は、現在の画面表示を終了し、一つ前に表示されていた画像を表示する。
【００４０】
表示画面１０５は、地図データ等のコンテンツの画像（コンテンツ画像）を表示するものである。表示画面１０５上には、操作検出部が配置されている（不図示）。操作検出部は、例えば、タッチパネルであり、表示画面と指との接触を検出する。
【００４１】
図２は、本発明の実施の形態における表示装置１０１の一構成例を示すブロック図である。図２に示すように、表示装置１０１は、操作検出部２０１、回転検出部２０２、制御部２０３、表示画像決定部２０４、表示制御部２０５、記憶部２０６、および、表示画面１０５とを備える。
【００４２】
操作検出部２０１は、ユーザーの指が画面上に触れた接触位置を検出すると共に、表示画面１０５上における座標位置を示す位置情報を算出し、制御部２０３に出力する。操作検出部２０１は、例えば、タッチパネルで実現される。ここで接触位置は、ユーザーの指以外の物体がユーザーの操作により画面に触れたときの、当該物体と画面との接触位置も含まれる。ユーザーの指以外の物体とは、例えば、スタイラスまたは画面入力用のペンなどである。さらに、接触位置を指定する操作態様は、どんなものであってもよい。接触位置を指定する操作態様は、例えば、シングルタップ、ダブルタップ、または、所定の図形を描くような操作などであってよい。ここで、使用中のアプリケーションにおいて実行される機能が割り当てられていない操作態様を、当該接触位置の指定に割り当てるようにしてもよい。
【００４３】
回転検出部２０２は、表示装置１０１の向きが変更されたことを検出し、表示制御部２０５に対して、画面が回転したことを示す回転情報を制御部２０３に出力する。回転検出部２０２は、例えば、加速度センサで実現される。なお、回転情報は、例えば、変更後の画面を表示する向きを示す情報である。なお、回転検出部２０２は、検出部に相当する。
【００４４】
制御部２０３は、操作検出部２０１及び、回転検出部２０２より出力された情報に基づいて、表示画像を回転させる際の回転中心点（以降、単に中心点とも称する）を決定し、表示画像決定部２０４に中心点情報及び回転情報を出力する。なお、制御部２０３は、指定部に相当する。
【００４５】
表示画像決定部２０４は、中心点情報及び回転情報より、表示画面１０５に表示する表示画像を決定する。なお、表示画像決定部２０４は、更新部に相当する。
【００４６】
表示制御部２０５は、記憶部２０６から、表示画像決定部２０４が決定した画像の座標位置に基づいたデータを読み出し、表示画面１０５上に表示する。なお、表示制御部２０５は、更新部に相当する。
【００４７】
記憶部２０６は、表示画面１０５に表示する表示内容（コンテンツ画像）の元データ（以降、単に元データとも称する）を記録する。
【００４８】
以下、本実施の形態の表示装置１０１の動作について説明する。図３は、表示装置１０１の動作の一例を説明するフローチャートである。
【００４９】
まず、制御部２０３は、中心点情報をクリアする（ステップＳ３０１）。
【００５０】
次に、制御部２０３は、操作検出部２０１または回転検出部２０２から情報が通知されたかどうかを判定する（ステップＳ３０２）。制御部２０３は、情報が通知されるまで、ステップＳ３０２の処理を繰り返す。
【００５１】
制御部２０３は、ステップＳ３０２において何らかの情報が通知されたことを検出すると（ステップＳ３０２でＹＥＳ）、通知された情報が回転検出部２０２から通知される回転情報であるかどうかを判定する（ステップＳ３０３）。
【００５２】
制御部２０３は、ステップＳ３０２において通知された情報が回転情報ではないと判定した場合（ステップＳ３０３でＮＯ）、通知された情報は、操作検出部２０１からの位置情報であると判定する。制御部２０３は、通知された位置情報を中心点情報として保持し（ステップＳ３０４）、ステップＳ３０２に戻る。
【００５３】
制御部２０３は、ステップＳ３０３において、回転情報が通知されたと判定した場合（ステップＳ３０３でＹＥＳ）、中心点情報を保持しているか否かを判定する（ステップＳ３０５）。
【００５４】
制御部２０３は、ステップＳ３０５において、中心点情報を保持していないと判定した場合（ステップＳ３０５でＮＯ）、表示画面１０５上の所定位置を中心点として決定する。制御部２０３は、決定した中心点の座標を示す中心点情報と回転情報とを表示画像決定部２０４に通知する（ステップＳ３０６）。なお、所定位置とは、表示画面１０５上のあらかじめ決められた位置のことであり、例えば、表示画面１０５の中央の点とすることができる。
【００５５】
制御部２０３は、ステップＳ３０５において、中心点情報を保持していると判定した場合（ステップＳ３０５でＹＥＳ）、保持している中心点情報と回転情報とを表示画像決定部２０４に通知する（ステップＳ３０７）。
【００５６】
次に、表示画像決定部２０４は、現在の表示位置の座標と、制御部２０３から通知された中心点情報及び回転情報とから、次に表示すべき画像の座標及び表示範囲を決定し、表示制御部２０５に通知する（ステップＳ３０８）。ステップＳ３０８における表示画像決定部２０４の詳細な動作については、後述する。
【００５７】
次に、表示制御部２０５は、表示画像決定部２０４から通知された座標及び表示範囲に基づき、記憶部２０６からデータを読み込み、表示画面１０５上に表示する（ステップＳ３０９）。その後、ステップＳ３０１に戻る。
【００５８】
以下、ステップＳ３０８における表示画像決定部２０４の詳細な動作について、図４を用いて説明する。図４は、ステップＳ３０８における表示画像決定部２０４の動作を示すフローチャートである。
【００５９】
まず、表示画像決定部２０４は、記憶部２０６に記憶されている元データにおける表示画面１０５に表示中の表示画像の基準点の座標を算出する（ステップＳ４０１）。ここで、表示画像の基準点とは、表示画像の中の任意の点を用いることができる。以降では、当該基準点として、表示画像内で最も左下に位置する点（左下点）を用いる場合について説明する。
【００６０】
次に、表示画像決定部２０４は、制御部２０３より通知された中心点情報とステップ４０１で検出された座標と回転情報とを用いて、回転後に表示される表示画像の左下点の座標を算出する（ステップＳ４０２）。
【００６１】
次に、表示画像決定部２０４は、ステップＳ４０２に算出した座標と回転情報とを用いて、表示画面１０５に表示する表示画像を決定する（ステップＳ４０３）。
【００６２】
以下、コンテンツ画像として地図データを表示装置１０１に表示する場合を例として、本実施の形態の表示装置１０１の動作を具体的に説明する。ここでは、ユーザーが表示装置１０１を持ち替えることにより、画面の縦横方向が横方向から縦方向に切り替えられる場合を例として、図面を用いて説明する。
【００６３】
図５は、表示装置１０１の表示画面１０５の表示内容の一例を示す図である。図５において、表示装置１０１は、表示画面１０５に地図データを表示している。図６は注視点を設定する操作の説明図である。図７は、記憶部２０６が記憶している表示内容の元データを示す図である。図８Ａは、回転前及び回転後の表示画像を説明するための図である。図９は、表示装置１０１を縦方向に持ち替えた場合の表示内容の一例を示す図である。
【００６４】
最初、図５に示すように、ユーザーは、表示装置１０１の画面の表示方向が横方向になるように持ち、表示画面１０５に地図を表示している。表示画面１０５に表示されている地図は、記憶部２０６に記憶されている表示内容の元データの一部である。
【００６５】
次に、図６に示すように、ユーザーは表示画面１０５上で注視点を選択することで、回転の中心点を決定する。ここで、ユーザーが、表示装置１０１の表示画面１０５上に表示されている地図上の家６０３を注視点として選択した場合について詳細に説明する。
【００６６】
図６において、表示画面１０５における左下点である点６０４を表示画面１０５における原点（０，０）とし、点６０４より右方向をＸ軸、上方向をＹ軸とする。ユーザーは、注視点である家６０３を自身の指６０１でタップすることによって、中心点を選択する。表示装置１０１は、中心点として選択された箇所を、例えば、色つきの点６０２を表示することによって、ユーザーに中心点を明示するようにしてもよい。なお、中心点の表示方法は点に限らず、中心点と指定した位置を明示的に示すものであればよい。なお、ユーザーによる注視点を、ユーザーの指６０１でタップすることで選択するとしたが、指ではなく、指以外の物体による選択であってもよい。ここで指以外の物体とは、例えば、スタイラスまたは画面入力用のペンなどである。
【００６７】
この時、操作検出部２０１は、点６０４を原点として、中心点６０２の座標を検出し、検出した座標（θ，γ）を位置情報として制御部２０３に通知する。制御部２０３は、通知された中心点６０２の座標を中心点情報として保持する。
【００６８】
次に、ユーザーは、表示装置１０１を、画面の表示方向が横方向から縦方向になるように持ち替える。回転検出部２０２は、表示装置１０１が回転されたことを検出し、回転情報を制御部２０３に通知する。なお、回転情報は、回転方向と回転角度とを示す情報であってもよい。また、回転情報は、横方向から縦方向に回転されたというように、回転前の方向と回転後の方向とを示す情報であってもよい。また、回転情報は、回転後の方向だけを示す情報であってもよい。回転後の情報だけを示す場合は、回転前の状態を保持していることを前提とする。
【００６９】
制御部２０３は、回転検出部２０２より回転情報が通知されると、中心点情報を保持しているか否かを判定する。この場合、中心点６０２の座標を中心点情報として保持しているので、制御部２０３は保持している中心点情報を回転情報と共に、表示画像決定部２０４に通知する。
【００７０】
表示画像決定部２０４は、制御部２０３より中心点情報と回転情報とを受け取ると、以下の処理を行う。まず、記憶部２０６に記憶されている表示内容の元データにおける、表示画面１０５の原点である点６０４の座標を算出する。図７は、記憶部２０６が記憶している表示内容の元データである地図データ７０１を示す。図７において、点７０３を原点（０，０）として、点７０３より右方向をＸ方向、点７０３より上方向をＹ方向として説明する。
【００７１】
本実施の形態の地図データ７０１上には、住宅と道路とが含まれる。図７において、領域７０２で囲まれる部分は、表示装置１０１の表示画面１０５上に表示している表示画像に相当する。表示画像決定部２０４は、地図データ７０１上における点６０４の座標（Ｐ１，Ｑ１）を検出する。ここで、表示画面１０５の短辺の長さをα、長辺の長さをβとすると、領域７０２は、元データにおいて、座標（Ｐ１、Ｑ１）からＸ軸方向に距離β、Ｙ軸方向に距離αの矩形の範囲の領域のデータとなる。
【００７２】
次に、表示画像決定部２０４は、制御部２０３より通知された中心点情報と回転情報と点６０４の座標とを用いて、回転後に表示画面１０５の原点となる位置の、地図データ７０１上の座標（Ｐ２，Ｑ２）を算出する。
【００７３】
図８Ａは、表示画面１０５が表示する回転前の画像領域と回転後の画像領域とを示す図である。図８Ａにおいて、点７０３より右方向をＸ方向とし、点７０３より上方向をＹ方向とする。
【００７４】
図８Ａにおいて、点８０１は回転後の表示画面１０５の原点となる点、領域８０２は回転後に表示画面１０５に表示される画像の領域を示す。図８Ａに示すように、領域８０２は領域７０２を、点６０２を中心に表示画面が縦方向となるように回転したものである。図８Ｂは、表示画面の回転前後の画像領域の座標の計算過程の説明図である。図８Ｂに示すように、点８０１の座標（Ｐ２，Ｑ２）は、（Ｐ１＋θ−γ,Ｑ１＋θ＋γ−β）で算出できる。
【００７５】
表示画像決定部２０４は、算出した座標（Ｐ２，Ｑ２）からＸ軸方向に距離α、Ｙ軸方向に距離βの領域８０２を表示すべき表示画像として決定する。
【００７６】
図９に、回転後の表示装置１０１を示す。図９に示すように、ユーザーが選択していた中心点６０２を中心に表示画面が回転し、ユーザーが注視していた家６０３が画面外に外れることなく表示される。従って、ユーザーは注視点を見失うことなく、画面の表示方向を変更することが可能となる。
【００７７】
次に、ユーザーにより中心点が設定されなかった場合について説明する。
【００７８】
まず、ユーザーが表示装置１０１を図５の横方向に持った状態から、表示装置１０１を縦方向に持ち替えたとする。回転検出部２０２は、表示装置１０１が回転されたことを検出し、回転情報を制御部２０３に通知する。制御部２０３は、回転検出部２０２より回転情報を通知されると、中心点情報を保持しているかどうかを判定する。この場合、中心点情報は保持していないので、制御部２０３は、表示画面１０５内の所定位置を中心点とする。なお、所定位置とは、表示画面１０５上のあらかじめ決められた位置のことであり、例えば、表示画面１０５の中央の点とすることができる。以降では、所定位置を、表示画面１０５の中央の点とする場合について説明する。
【００７９】
図１０は、元データにおいて、表示画面の中央を中心点とした場合の表示画像の領域を示す図である。
【００８０】
図１０において、表示内容の元データ１００１において、図１０の表示画像１００２は回転前の表示画像、表示画像１００３は回転後の表示画像、点１００４は表示画像１００２の中央点である。表示画像１００３は、図５の状態において表示画面１０５に表示されている画像である。この場合、回転の中心点となる点１００４は、画面の中央に固定されるため、表示画像１００２の中心にある家１００５に回転の中心点が設定される。
【００８１】
図１１は、表示装置の表示画面の表示内容の一例を示す図である。図１１において、表示画像１００２が表示装置１０１の表示画面１０５に表示されている。図１１に示すように、回転前の表示画面１０５において中央に位置していた家１００５が回転後の表示画面１０５においても、中央に位置するように表示されている。
【００８２】
以上、本発明に係る実施の形態によれば、表示されている地図情報や、新聞、雑誌等のコンテンツの表示方向を変更する際に、ユーザはコンテンツを連続的に閲覧することができる。つまり、画面回転の前後でコンテンツの連続性が維持される表示装置を実現できる。
【００８３】
なお、本実施の形態では、表示装置の画面を横方向から縦方向に持ち替えた場合を例にとって説明したが、縦方向から横方向へ持ち替えた場合も同様の方法で実現できる。
【００８４】
なお、本実施の形態では、表示装置の画面を横方向から縦方向へ９０度回転させる例を示したが、表示装置の画面の縦横方向の回転が９０度より小さい場合についても同様の方法で実現できる。さらに、表示装置の画面の縦横方向の回転角度が９０度より小さい場合であっても、当該回転角度が所定角度以上なら、表示装置の画面を９０度回転させることとしてもよい。その場合、当該回転角度が所定角度以下の場合には表示装置の画面を回転させないとしてもよい。
【００８５】
なお、本実施の形態では、表示装置の表示画面全体にコンテンツ画像の一部を表示させる例を示したが、表示画面の一部にコンテンツ画像の一部を表示させることも同様に可能である。その場合、本実施の形態における表示画面として、表示画面の一部を用いることで実現できる。
【００８６】
以上のように、本発明の一態様に係る表示装置によれば、回転前の画面においてユーザーがコンテンツ画像上の注視点を指定し、当該注視点を回転中心として表示内容を回転させることにより、ユーザーがコンテンツ画像上の注視点を見失うことなく画面を回転させることができる。つまり、ユーザーは、回転の前後でコンテンツを継続的に閲覧することができる。よって、画面回転の前後で画面に表示されるコンテンツの連続性が維持される。
【００８７】
また、ユーザーの指、または、画面入力用のペンのような物体の接触により、ユーザーが直感的にコンテンツ画像上の注視点を指定することができる。そして、ユーザーは、回転の前後でコンテンツを継続的に閲覧することができる。よって、画面回転の前後で画面に表示されるコンテンツの連続性が維持される。
【００８８】
また、ユーザーがコンテンツ画像上の注視点を明示的に指定しない場合は、画面上の所定位置を回転中心として表示内容を回転させることができる。所定位置をユーザーの好みの画面上の位置にあらかじめ設定しておくことにすれば、ユーザーは画面を回転させる度に注視点を指定する必要がなく、利便性が向上する。
【００８９】
また、表示画面が回転した角度に等しい角度だけ、注視点を回転中心として表示内容を回転させることができる。
【００９０】
また、表示装置の画面より大きいコンテンツ画像の一部の領域を表示領域とし、画面の回転操作があったときに、ユーザーの注視点を画面内に維持しながら、コンテンツ画像の別の一部を含むように表示領域を変更させることができる。よって、画面回転の前後で画面に表示されるコンテンツの連続性が維持される。
【００９１】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示装置などを実現するソフトウェアは、次のようなプログラムである。
【００９２】
すなわち、このプログラムは、コンピュータに、表示装置であって、前記表示装置に対して固定され、画像の一部の領域を表示する表示画面を備える表示装置における表示方法であって、前記表示画面に表示された前記画像の一部の領域内の位置を指定する指定ステップと、前記表示画面を含む面内における前記表示装置の回転を示す回転情報を検出する検出ステップと、前記検出ステップで検出した前記回転情報に基づいて、前記指定ステップで指定した位置を中心に前記画像の一部の領域を回転させ、回転させた後の前記画像の一部の領域を前記表示画面に表示させるように、前記表示画面の表示内容を更新する更新ステップとを含む。
【００９３】
また、このプログラムは、表示画面を有する表示装置における表示方法であって、前記表示画面が、前記表示画面を含む面内で回転したことを回転情報として検出する回転検出ステップと、ユーザーの操作により指定される前記表示画面上の位置である指定位置を検出する操作検出ステップと、コンテンツ画像上の領域である表示領域に含まれる画像を表示画像として決定する表示画像決定ステップと、前記表示画像決定ステップにおいて決定された前記表示画像を、前記表示画面に表示させる表示制御ステップとを含み、前記表示画像決定部において、前記回転検出ステップにおいて前記回転情報が検出されたときに、前記回転情報に基づいて、前記操作検出ステップにおいて検出された前記指定位置を回転中心として前記表示領域を回転させ、回転後の前記表示領域に含まれる画像を新たな前記表示画像として決定する処理を実行させる。
【００９４】
以上、本発明の一つまたは複数の態様に係る表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００９５】
本発明は、ネットワークに接続される情報配信装置、情報表示端末、携帯端末、又は、情報配信システムなどに利用することができる。特に個人が所有するポータブル型の情報表示端末に利用することができる。
【符号の説明】
【００９６】
１０１  表示装置
１０２、１０３、１０４  ボタン
１０５  表示画面
２０１  操作検出部
２０２  回転検出部
２０３  制御部
２０４  表示画像決定部
２０５  表示制御部
２０６  記憶部
【手続補正２】
【補正対象書類名】特許請求の範囲
【補正対象項目名】全文
【補正方法】変更
【補正の内容】
【特許請求の範囲】
【請求項１】
表示装置であって、
前記表示装置に対して固定され、画像の一部の領域を表示する表示画面と、
前記表示画面に表示された前記画像の一部の領域内の位置を指定する指定部と、
前記表示画面を含む面内における前記表示装置の回転を示す回転情報を検出する検出部と、
前記検出部が検出した前記回転情報に基づいて、前記指定部が指定した位置を中心に前記画像の一部の領域を回転させ、回転させた後の前記画像の一部の領域を前記表示画面に表示させるように、前記表示画面の表示内容を更新する更新部とを備える
表示装置。
【請求項２】
前記検出部は、
前記表示画面が前記表示画面を含む面内で回転したことを、前記回転情報として検出する回転検出部を有し、
前記指定部は、
ユーザーの操作により指定される前記表示画面上の指定位置を検出することで、前記位置を指定する操作検出部を有し、
前記更新部は、
コンテンツ画像上の領域である表示領域に含まれる画像を表示画像として決定する表示画像決定部と、
前記表示画像決定部が決定した前記表示画像を、前記表示画面に表示させる表示制御部とを有し、
前記表示画像決定部は、
前記回転検出部が前記回転情報を検出したときに、前記回転情報に基づいて、前記操作検出部が検出した前記指定位置を回転中心として前記表示領域を回転させ、回転後の前記表示領域に含まれる画像を新たな前記表示画像として決定する
請求項１に記載の表示装置。
【請求項３】
前記操作検出部は、
前記表示画面上に物体を接触させることでユーザーにより指定される前記指定位置を検出する
請求項２に記載の表示装置。
【請求項４】
前記表示画像決定部は、
前記指定位置が検出されない場合に、前記表示画面上の所定位置を回転中心として前記表示領域を回転させ、回転後の前記表示領域に含まれる画像を新たな前記表示画像として決定する
請求項２に記載の表示装置。
【請求項５】
前記回転検出部は、
前記表示画面が、前記表示画面を含む面内で、前記表示画面が回転した角度である回転角度を前記回転情報として検出し、
前記表示画像決定部は、
前記表示領域を、前記回転情報に含まれる前記回転角度だけ回転させ、回転後の前記表示領域に含まれる画像を新たな前記表示画像として決定する
請求項２〜４のいずれか１項に記載の表示装置。
【請求項６】
前記表示画像決定部は、
前記表示画面より大きい前記コンテンツ画像上の領域である前記表示領域を前記コンテンツ画像から切り出し、切り出した前記表示領域に含まれる画像を前記表示画像として決定する
請求項２〜５のいずれか１項に記載の表示装置。
【請求項７】
表示装置であって、前記表示装置に対して固定され、画像の一部の領域を表示する表示画面を備える表示装置における表示方法であって、
前記表示画面に表示された前記画像の一部の領域内の位置を指定する指定ステップと、
前記表示画面を含む面内における前記表示装置の回転を示す回転情報を検出する検出ステップと、
前記検出ステップで検出した前記回転情報に基づいて、前記指定ステップで指定した位置を中心に前記画像の一部の領域を回転させ、回転させた後の前記画像の一部の領域を前記表示画面に表示させるように、前記表示画面の表示内容を更新する更新ステップとを含む
表示方法。
【請求項８】
請求項７の表示方法をコンピュータに実行させるためのプログラム。 
【手続補正３】
【補正対象書類名】図面
【補正対象項目名】全図
【補正方法】変更
【補正の内容】
【図１】
2013124912.tif 000015
【図２】
2013124912.tif 000016
【図３】
2013124912.tif 000017
【図４】
2013124912.tif 000018
【図５】
2013124912.tif 000019
【図６】
2013124912.tif 000020
【図７】
2013124912.tif 000021
【図８Ａ】
2013124912.tif 000022
【図８Ｂ】
2013124912.tif 000023
【図９】
2013124912.tif 000024
【図１０】
2013124912.tif 000025
【図１１】
2013124912.tif 000026
【手続補正書】
【提出日】平成25年6月20日(2013.6.20)
【手続補正１】
【補正対象書類名】特許請求の範囲
【補正対象項目名】請求項１
【補正方法】変更
【補正の内容】
【請求項１】
表示装置であって、
前記表示装置に対して固定され、画像の一部の領域を表示する表示画面と、
前記表示画面に表示された前記画像の一部の領域内の位置を指定する指定部と、
前記表示画面を含む面内における前記表示装置の回転を示す回転情報を検出する検出部と、
前記検出部が検出した前記回転情報に基づいて、前記指定部が指定した位置を中心に前記画像の一部の領域を回転させ、回転させた後の前記画像の一部の領域を前記表示画面に表示させるように、前記表示画面の表示内容を更新する更新部とを備え、
前記更新部は、
前記表示内容を更新する際に、前記指定部が指定した位置が表示される前記表示画面上での位置を、前記画像の一部の領域の回転前後で維持する
表示装置。
【手続補正２】
【補正対象書類名】特許請求の範囲
【補正対象項目名】請求項７
【補正方法】変更
【補正の内容】
【請求項７】
表示装置であって、前記表示装置に対して固定され、画像の一部の領域を表示する表示画面を備える表示装置における表示方法であって、
前記表示画面に表示された前記画像の一部の領域内の位置を指定する指定ステップと、
前記表示画面を含む面内における前記表示装置の回転を示す回転情報を検出する検出ステップと、
前記検出ステップで検出した前記回転情報に基づいて、前記指定ステップで指定した位置を中心に前記画像の一部の領域を回転させ、回転させた後の前記画像の一部の領域を前記表示画面に表示させるように、前記表示画面の表示内容を更新する更新ステップとを含み、
前記更新ステップでは、
前記表示内容を更新する際に、前記指定ステップで指定した位置が表示される前記表示画面上での位置を、前記画像の一部の領域の回転前後で維持する
表示方法。
【国際調査報告】
2013124912.tif 000027
2013124912.tif 000028
2013124912.tif 000029
2013124912.tif 000030
2013124912.tif 000031
2013124912.tif 000032
2013124912.tif 000033
2013124912.tif 000034